【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
搬送手段によって搬送された記録媒体が積載される積載部と、
前記積載部に積載された記録媒体に当接し、前記積載部に積載された該記録媒体の積載量に応じて移動する当接部材と、
前記当接部材を前記積載部に排出される記録媒体に当接しない退避位置に移動させる移動手段と
を有する積載装置であって、
前記当接部材を前記退避位置に位置させた状態で前記積載部に記録媒体を所定枚数だけ排出した後に、前記移動手段は前記当接部材を前記積載部に積載された記録媒体に当接させ、前記搬送手段によって前記積載部に記録媒体が排出される前に前記移動手段によって前記当接部材を前記退避位置に移動させる第１の動作と、
前記当接部材を前記積載部に積載された記録媒体に当接した状態で前記搬送手段によって前記積載部に記録媒体を排出する第２の動作を行う
ことを特徴とする積載装置。
【請求項２】
前記積載量が所定量未満のときに前記第１の動作を行い、前記積載量が所定量以上のときに前記第２の動作を行うことを特徴とする請求項１に記載の積載装置。
【請求項３】
前記所定量は、前記積載部に排出される記録媒体が前記積載部に積載された記録媒体を、許容量を超えて押出さない量とすることを特徴とする請求項２に記載の積載装置。
【請求項４】
前記所定量は、記録媒体の種類および装置構成に応じて異なることを特徴とする請求項３に記載の積載装置。
【請求項５】
前記所定量は、前記積載部における記録媒体が積載される面から垂直方向に延びる長さであることを特徴とする請求項２から４のいずれか１項に記載の積載装置。
【請求項６】
前記所定枚数に対応する量は、満載に対応する量と前記所定量との差分以下であることを特徴とする請求項２から５のいずれか１項に記載の積載装置。
【請求項７】
前記当接部材の位置を検知する検知手段を有し、
前記検知手段は、前記第１の動作および前記第２の動作において、前記当接部材が前記積載部に積載された記録媒体に当接しているときの前記当接部材の位置を検知することを特徴とする請求項１に記載の積載装置。
【請求項８】
前記当接部材の位置を検知する検知手段を有し、
前記検知手段は、前記第１の動作および前記第２の動作において、前記当接部材が前記積載部に積載された記録媒体に当接しているときの前記当接部材の位置を検知し、
前記検知手段の検知結果に応じて前記積載量が所定量未満か否かを判定し、前記第１の動作を行うか前記第２の動作を行うかを決定することを特徴とする請求項２から６のいずれか１項に記載の積載装置。
【請求項９】
前記検知手段は、複数のセンサにより構成され、前記複数のセンサによる検知結果に基づいて前記積載量を検知することを特徴とする請求項７または８に記載の積載装置。
【請求項１０】
前記検知手段は、各センサの検知結果の履歴を参照して前記積載量を検知することを特徴とする請求項９に記載の積載装置。
【請求項１１】
前記検知手段は、前記積載量を取得するために前記当接部材の位置を検知することを特徴とする請求項７から１０のいずれか１項に記載の積載装置。
【請求項１２】
当接部材の回動と連動して回動するフラグを更に有し、
前記検知手段は、光を発する発光部と前記発光部の光を受光する受光部とを有し、前記発光部が発光する光は前記フラグの回転に応じて透過または遮光され、前記受光部が受光する受光量に応じて前記積載量を検知することを特徴とする請求項７または１１に記載の積載装置。
【請求項１３】
記録媒体が所定サイズのときに、前記積載量に応じて前記第１の動作または前記第２の動作を行うことを特徴とする請求項１から１２のいずれか１項に記載の積載装置。
【請求項１４】
前記所定サイズは、Ａ５サイズまたはステートメントサイズであることを特徴とする請求項１３に記載の積載装置。
【請求項１５】
記録媒体が前記所定サイズより大きい場合には前記第１の動作は行わず、前記第２の動作を行うことを特徴とする請求項１３または１４に記載の積載装置。
【請求項１６】
前記当接部材は、前記積載部に積載された記録媒体に当接しているときに、排出される記録媒体の移動を許容する方向に回動可能であることを特徴とすることを特徴とする請求項１から１５のいずれか１項に記載の積載装置。
【請求項１７】
前記当接部材は、前記積載部に積載された記録媒体の最上部の記録媒体の表面に当接することを特徴とする請求項１から１５のいずれか１項に記載の積載装置。
【請求項１８】
前記積載部に積載されている記録媒体の量が第１の量のときに、積載部に積載されている最上部の記録媒体の表面と前記表面と接触する前記当接部材とが接触している場合の、前記表面と前記当接部材とのなす角のうち前記搬送手段による記録媒体の前記積載部への搬送方向の上流側の角度は鋭角である第１の角度であり、
前記積載部に積載されている記録媒体の量が前記第１の量より多い第２の量のときに、前記積載部に積載された最上部の記録媒体の表面と前記表面と接触する前記当接部材とが接触している場合の、前記表面と前記当接部材とのなす角のうち前記搬送手段による記録媒体の前記積載部への搬送方向の上流側の角度は前記第１の角度より小さい第２の角度であることを特徴とする請求項１７に記載の積載装置。
【請求項１９】
記録媒体に画像を記録する記録手段と、
画像が記録された前記記録媒体を搬送する前記搬送手段と、
を有することを特徴とする請求項１から１８のいずれか１項に記載の積載装置。
【請求項２０】
記録媒体を搬送手段によって積載部に排出し、
前記積載部に積載された記録媒体に当接する当接部材の位置に応じて、前記積載部に積載された該記録媒体の積載量を検知し、
前記当接部材を前記積載部に排出される記録媒体に当接しない退避位置に移動させる積載量検知方法であって、
前記当接部材を前記退避位置に位置させた状態で前記積載部に記録媒体を所定枚数だけ排出した後に、前記当接部材を前記積載部に積載された記録媒体に当接させ、前記搬送手段によって前記積載部に記録媒体が排出される前に前記当接部材を前記退避位置に移動させる第１の動作と、
前記当接部材を前記積載部に積載された記録媒体に当接した状態で前記搬送手段によって前記積載部に記録媒体を排出する第２の動作を行う
ことを特徴とする積載量検知方法。
【請求項２１】
前記積載量が所定量未満のときに前記第１の動作を行い、前記積載量が所定量以上のときに前記第２の動作を行うことを特徴とする請求項２０に記載の積載量検知方法。
【手続補正２】
【補正対象書類名】明細書
【補正対象項目名】発明の名称
【補正方法】変更
【補正の内容】
【発明の名称】積載装置および積載量検知方法
【手続補正３】
【補正対象書類名】明細書
【補正対象項目名】０００１
【補正方法】変更
【補正の内容】
【０００１】
本発明は、記録された記録媒体が排出されて積載される積載装置および積載量検知方法に関する。
【手続補正４】
【補正対象書類名】明細書
【補正対象項目名】０００６
【補正方法】変更
【補正の内容】
【０００６】
上記目的を達成するために、本発明は、搬送手段によって搬送された記録媒体が積載される積載部と、前記積載部に積載された記録媒体に当接し、前記積載部に積載された該記録媒体の積載量に応じて移動する当接部材と、前記当接部材を前記積載部に排出される記録媒体に当接しない退避位置に移動させる移動手段とを有する積載装置であって、前記当接部材を前記退避位置に位置させた状態で前記積載部に記録媒体を所定枚数だけ排出した後に、前記移動手段は前記当接部材を前記積載部に積載された記録媒体に当接させ、前記搬送手段によって前記積載部に記録媒体が排出される前に前記移動手段によって前記当接部材を前記退避位置に移動させる第１の動作と、前記当接部材を前記積載部に積載された記録媒体に当接した状態で前記搬送手段によって前記積載部に記録媒体を排出する第２の動作を行うことを特徴とする。
【手続補正５】
【補正対象書類名】明細書
【補正対象項目名】０００７
【補正方法】変更
【補正の内容】
【０００７】
本発明によれば、高速記録を行うことができる。
【手続補正６】
【補正対象書類名】明細書
【補正対象項目名】００７４
【補正方法】変更
【補正の内容】
【００７４】
満載検知処理が開始されると、まず、プリントコントローラ２０２において、センサ２１５の検知結果に基づいて、アーム９０が検知位置にあるか否かを判断する（Ｓ１６０２）。即ち、Ｓ１６０２では、第１センサ２１５ａ、第２センサ２１５ｂの検知結果の組み合わせが、（ＯＦＦ、ＯＦＦ）、（ＯＮ、ＯＦＦ）、（ＯＮ、ＯＮ）であるときにアーム９０が検知位置にあると判断される。また、それ以外のときにアーム９０が検知位置にないと判断される。Ｓ１６０２において、アーム９０が検知位置にあると判断されると、後述するＳ１６０６へ進む。また、Ｓ１６０２において、アーム９０が検知位置にないと判断されると、Ｓ１６０４で、アーム制御部２１３により、退避位置に位置するアーム９０を検知位置へ移動する。
【手続補正７】
【補正対象書類名】明細書
【補正対象項目名】００７６
【補正方法】変更
【補正の内容】
【００７６】
また、Ｓ１６０６において、記録媒体Ｓの先端を検知したと判断されると、プリントコントローラ２０２において、センサ２１５の検知結果に基づいて、満載になったか否かを判断する（Ｓ１６０８）。即ち、Ｓ１６０８では、第２センサ２１５ｂの履歴を参照し、ＯＦＦの履歴がなければ満載になったと判断する。なお、第１センサ２１５ａ、第２センサ２１５ｂの検知結果については、プリントコントローラ２０２が定期的（例えば、数ｍ秒ごと）に監視している。従って、Ｓ１６０８では、複数回分の検知結果の履歴を参照して、満載か否かを判断することとなる。
【手続補正８】
【補正対象書類名】明細書
【補正対象項目名】００７８
【補正方法】変更
【補正の内容】
【００７８】
Ｓ１６０８において満載となったと判断されると、Ｓ１６１０で満載処理を行う。ここで、図１７は、Ｓ１６１０における満載処理の詳細な処理内容を示すフローチャートである。満載処理が開始されると、まず、検知部材２０Ｅにより記録媒体Ｓの後端を検知したか否かを判断する（Ｓ１７０２）。Ｓ１７０２において、記録媒体Ｓの後端を検知したと判断されると、Ｓ１７０４で、記録媒体Ｓの搬送を停止する。このとき、記録動作中であれば、記録動作を停止する。次に、Ｓ１７０６で、アーム９０を検知位置から退避位置へ移動し、Ｓ１７０８で、操作パネル１０４などを介して、ユーザに対して排出トレイ１３に積載された記録媒体Ｓの取り出しを促す通知を行う。その後、排出トレイ１３に積載された記録媒体Ｓが取り出されたか否かを判断し（Ｓ１７１０）、記録媒体Ｓが取り出されたと判断されると、排紙する記録媒体Ｓがあるか否かを判断する（Ｓ１７１２）。